(57)【特許請求の範囲】
【請求項１】
記憶されているコンテンツを再生する再生手段と、
前記再生手段による前記コンテンツの再生条件のパラメータを設定する設定手段と、
前記設定手段により設定された前記パラメータに基づいて、前記コンテンツの再生条件を制御する制御手段と、
前記設定手段により設定された前記パラメータを、前記再生手段により前記コンテンツの再生が開始されてからの再生経過時刻とともに記録する第１の記録手段と、
前記パラメータの変更が指示される毎に、前記設定手段、前記制御手段、および前記第１の記録手段の各々の処理の繰り返しを制御する繰り返し制御手段と、
前記コンテンツの再生が終了した場合、前記変更の指示毎に記録した前記パラメータおよび前記再生経過時刻を、前記コンテンツを識別する識別情報と対応付けてファイルとして記録する第２の記録手段と、
前記第２の記録手段により記録された前記ファイルを前記再生手段により再生された前記コンテンツのデータとともにネットワークを介して送信する送信手段と、
別の情報処理装置から前記ネットワークを介して送信されてきた前記ファイルと前記コンテンツのデータを受信し、記憶する受信手段と
を備え、
前記再生手段が、所定のコンテンツを再生する場合、前記所定のコンテンツが、前記受信手段により受信された前記ファイルに含まれる前記識別情報により特定されるコンテンツであるとき、前記制御手段は、前記受信手段により受信された前記ファイルに含まれる前記パラメータに基づいて、前記所定のコンテンツの再生条件を制御し、前記所定のコンテンツが、前記ファイルに含まれる前記識別情報により特定されるコンテンツとは異なるとき、前記制御手段は、前記コンテンツの再生条件の制御を禁止する
ことを特徴とする情報処理装置。
【請求項２】
記憶されているコンテンツを再生する再生ステップと、
前記再生ステップの処理による前記コンテンツの再生条件のパラメータを設定する設定ステップと、
前記設定ステップの処理により設定された前記パラメータに基づいて、前記コンテンツの再生条件を制御する制御ステップと、
前記設定ステップの処理により設定された前記パラメータを、前記再生ステップの処理により前記コンテンツの再生が開始されてからの再生経過時刻とともに記録する第１の記録ステップと、
前記パラメータの変更が指示される毎に、前記設定ステップ、前記制御ステップ、および前記第１の記録ステップの各々の処理の繰り返しを制御する繰り返し制御ステップと、
前記コンテンツの再生が終了した場合、前記変更の指示毎に記録した前記パラメータおよび前記再生経過時刻を、前記コンテンツを識別する識別情報と対応付けてファイルとして記録する第２の記録ステップと、
前記第２の記録ステップの処理により記録された前記ファイルを前記再生ステップの処理により再生された前記コンテンツのデータとともにネットワークを介して送信する送信ステップと、
別の情報処理装置から前記ネットワークを介して送信されてきた前記ファイルと前記コンテンツのデータを受信し、記憶する受信ステップと
を含み、
前記再生ステップの処理において、所定のコンテンツを再生する場合、前記所定のコンテンツが、前記受信ステップの処理により受信された前記ファイルに含まれる前記識別情報により特定されるコンテンツであるとき、前記制御ステップの処理において、前記受信ステップの処理により受信された前記ファイルに含まれる前記パラメータに基づいて、前記所定のコンテンツの再生条件を制御し、前記所定のコンテンツが、前記ファイルに含まれる前記識別情報により特定されるコンテンツとは異なるとき、前記制御ステップの処理において、前記コンテンツの再生条件の制御を禁止する
ことを特徴とする情報処理方法。
【請求項３】
記憶されているコンテンツを再生する再生ステップと、
前記再生ステップの処理による前記コンテンツの再生条件のパラメータを設定する設定ステップと、
前記設定ステップの処理により設定された前記パラメータに基づいて、前記コンテンツの再生条件を制御する制御ステップと、
前記設定ステップの処理により設定された前記パラメータを、前記再生ステップの処理により前記コンテンツの再生が開始されてからの再生経過時刻とともに記録する第１の記録ステップと、
前記パラメータの変更が指示される毎に、前記設定ステップ、前記制御ステップ、および前記第１の記録ステップの各々の処理の繰り返しを制御する繰り返し制御ステップと、
前記コンテンツの再生が終了した場合、前記変更の指示毎に記録した前記パラメータおよび前記再生経過時刻を、前記コンテンツを識別する識別情報と対応付けてファイルとして記録する第２の記録ステップと、
前記第２の記録ステップの処理により記録された前記ファイルを前記再生ステップの処理により再生された前記コンテンツのデータとともにネットワークを介して送信する送信ステップと、
別の情報処理装置から前記ネットワークを介して送信されてきた前記ファイルと前記コンテンツのデータを受信し、記憶する受信ステップと
を含み、
前記再生ステップの処理において、所定のコンテンツを再生する場合、前記所定のコンテンツが、前記受信ステップの処理により受信された前記ファイルに含まれる前記識別情報により特定されるコンテンツであるとき、前記制御ステップの処理において、前記受信ステップの処理により受信された前記ファイルに含まれる前記パラメータに基づいて、前記所定のコンテンツの再生条件を制御し、前記所定のコンテンツが、前記ファイルに含まれる前記識別情報により特定されるコンテンツとは異なるとき、前記制御ステップの処理において、前記コンテンツの再生条件の制御を禁止する
ことを特徴とするコンピュータが読み取り可能なプログラムが記録されている記録媒体。
【請求項４】
記憶されているコンテンツを再生する再生ステップと、
前記再生ステップの処理による前記コンテンツの再生条件のパラメータを設定する設定ステップと、
前記設定ステップの処理により設定された前記パラメータに基づいて、前記コンテンツの再生条件を制御する制御ステップと、
前記設定ステップの処理により設定された前記パラメータを、前記再生ステップの処理により前記コンテンツの再生が開始されてからの再生経過時刻とともに記録する第１の記録ステップと、
前記パラメータの変更が指示される毎に、前記設定ステップ、前記制御ステップ、および前記第１の記録ステップの各々の処理の繰り返しを制御する繰り返し制御ステップと、
前記コンテンツの再生が終了した場合、前記変更の指示毎に記録した前記パラメータおよび前記再生経過時刻を、前記コンテンツを識別する識別情報と対応付けてファイルとして記録する第２の記録ステップと、
前記第２の記録ステップの処理により記録された前記ファイルを前記再生ステップの処理により再生された前記コンテンツのデータとともにネットワークを介して送信する送信ステップと、
別の情報処理装置から前記ネットワークを介して送信されてきた前記ファイルと前記コンテンツのデータを受信し、記憶する受信ステップと
を含み、
前記再生ステップの処理において、所定のコンテンツを再生する場合、前記所定のコンテンツが、前記受信ステップの処理により受信された前記ファイルに含まれる前記識別情報により特定されるコンテンツであるとき、前記制御ステップの処理において、前記受信ステップの処理により受信された前記ファイルに含まれる前記パラメータに基づいて、前記所定のコンテンツの再生条件を制御し、前記所定のコンテンツが、前記ファイルに含まれる前記識別情報により特定されるコンテンツとは異なるとき、前記制御ステップの処理において、前記コンテンツの再生条件の制御を禁止する
処理をコンピュータに実行させるプログラム。
【発明の詳細な説明】
【０００１】
【発明の属する技術分野】
本発明は、情報処理装置および方法、記録媒体、並びにプログラムに関し、特に、元となるコンテンツのデータを変更することなく、異なる装置で、簡単かつ迅速に、同一の条件でコンテンツを再生することができるようにした情報処理装置および方法、記録媒体、並びにプログラムに関する。
【０００２】
【従来の技術】
図１は、従来の音楽再生装置の構成例を表している。アプリケーションプログラム１は、再生プレーヤ部２と音質・音量制御処理部３とを有している。表示部４には、GUI（Graphical User Interface）５が表示されている。
【０００３】
再生プレーヤ部２は、入力された楽曲データを再生し、音質・音量制御処理部３に供給する。ユーザは、必要に応じて、GUI５に表示されているパラメトリックイコライザ（PEQ）のカットオフ周波数ｆ０、ゲイン、およびＱを設定する。音質・音量制御処理部３は、設定されたパラメータに基づいて、再生プレーヤ部２より供給された音楽の音質と音量を制御し、増幅器やスピーカを内蔵する音声再生装置６に出力する。
【０００４】
【発明が解決しようとする課題】
従来の再生装置においては、このように、楽曲を再生する度に、パラメータを設定するようにしているので、他の装置に、簡単かつ迅速に、同一の条件で、楽曲を再生させることが困難である課題があった。
【０００５】
本発明は、このような状況に鑑みてなされたものであり、他の装置に同一の条件で、コンテンツを、簡単かつ迅速に、再生できるようにするものである。
【０００６】
【課題を解決するための手段】
本発明の情報処理装置は、記憶されているコンテンツを再生する再生手段と、再生手段によるコンテンツの再生条件のパラメータを設定する設定手段と、設定手段により設定されたパラメータに基づいて、コンテンツの再生条件を制御する制御手段と、設定手段により設定されたパラメータを、再生手段によりコンテンツの再生が開始されてからの再生経過時刻とともに記録する第１の記録手段と、パラメータの変更が指示される毎に、設定手段、制御手段、および第１の記録手段の各々の処理の繰り返しを制御する繰り返し制御手段と、コンテンツの再生が終了した場合、変更の指示毎に記録したパラメータおよび再生経過時刻を、コンテンツを識別する識別情報と対応付けてファイルとして記録する第２の記録手段と、第２の記録手段により記録されたファイルを再生手段により再生されたコンテンツのデータとともにネットワークを介して送信する送信手段と、別の情報処理装置からネットワークを介して送信されてきたファイルとコンテンツのデータを受信し、記憶する受信手段とを備え、再生手段が、所定のコンテンツを再生する場合、所定のコンテンツが、受信手段により受信されたファイルに含まれる識別情報により特定されるコンテンツであるとき、制御手段は、受信手段により受信されたファイルに含まれるパラメータに基づいて、所定のコンテンツの再生条件を制御し、所定のコンテンツが、ファイルに含まれる識別情報により特定されるコンテンツとは異なるとき、制御手段は、コンテンツの再生条件の制御を禁止することを特徴とする。
【０００９】
本発明の情報処理方法は、記憶されているコンテンツを再生する再生ステップと、再生ステップの処理によるコンテンツの再生条件のパラメータを設定する設定ステップと、設定ステップの処理により設定されたパラメータに基づいて、コンテンツの再生条件を制御する制御ステップと、設定ステップの処理により設定されたパラメータを、再生ステップの処理によりコンテンツの再生が開始されてからの再生経過時刻とともに記録する第１の記録ステップと、パラメータの変更が指示される毎に、設定ステップ、制御ステップ、および第１の記録ステップの各々の処理の繰り返しを制御する繰り返し制御ステップと、コンテンツの再生が終了した場合、変更の指示毎に記録したパラメータおよび再生経過時刻を、コンテンツを識別する識別情報と対応付けてファイルとして記録する第２の記録ステップと、第２の記録ステップの処理により記録されたファイルを再生ステップの処理により再生されたコンテンツのデータとともにネットワークを介して送信する送信ステップと、別の情報処理装置からネットワークを介して送信されてきたファイルとコンテンツのデータを受信し、記憶する受信ステップとを含み、再生ステップの処理において、所定のコンテンツを再生する場合、所定のコンテンツが、受信ステップの処理により受信されたファイルに含まれる識別情報により特定されるコンテンツであるとき、制御ステップの処理において、受信ステップの処理により受信されたファイルに含まれるパラメータに基づいて、所定のコンテンツの再生条件を制御し、所定のコンテンツが、ファイルに含まれる識別情報により特定されるコンテンツとは異なるとき、制御ステップの処理において、コンテンツの再生条件の制御を禁止することを特徴とする。
【００１０】
本発明の記録媒体のプログラムは、記憶されているコンテンツを再生する再生ステップと、再生ステップの処理によるコンテンツの再生条件のパラメータを設定する設定ステップと、設定ステップの処理により設定されたパラメータに基づいて、コンテンツの再生条件を制御する制御ステップと、設定ステップの処理により設定されたパラメータを、再生ステップの処理によりコンテンツの再生が開始されてからの再生経過時刻とともに記録する第１の記録ステップと、パラメータの変更が指示される毎に、設定ステップ、制御ステップ、および第１の記録ステップの各々の処理の繰り返しを制御する繰り返し制御ステップと、コンテンツの再生が終了した場合、変更の指示毎に記録したパラメータおよび再生経過時刻を、コンテンツを識別する識別情報と対応付けてファイルとして記録する第２の記録ステップと、第２の記録ステップの処理により記録されたファイルを再生ステップの処理により再生されたコンテンツのデータとともにネットワークを介して送信する送信ステップと、別の情報処理装置からネットワークを介して送信されてきたファイルとコンテンツのデータを受信し、記憶する受信ステップとを含み、再生ステップの処理において、所定のコンテンツを再生する場合、所定のコンテンツが、受信ステップの処理により受信されたファイルに含まれる識別情報により特定されるコンテンツであるとき、制御ステップの処理において、受信ステップの処理により受信されたファイルに含まれるパラメータに基づいて、所定のコンテンツの再生条件を制御し、所定のコンテンツが、ファイルに含まれる識別情報により特定されるコンテンツとは異なるとき、制御ステップの処理において、コンテンツの再生条件の制御を禁止することを特徴とする。
【００１１】
本発明のプログラムは、記憶されているコンテンツを再生する再生ステップと、再生ステップの処理によるコンテンツの再生条件のパラメータを設定する設定ステップと、設定ステップの処理により設定されたパラメータに基づいて、コンテンツの再生条件を制御する制御ステップと、設定ステップの処理により設定されたパラメータを、再生ステップの処理によりコンテンツの再生が開始されてからの再生経過時刻とともに記録する第１の記録ステップと、パラメータの変更が指示される毎に、設定ステップ、制御ステップ、および第１の記録ステップの各々の処理の繰り返しを制御する繰り返し制御ステップと、コンテンツの再生が終了した場合、変更の指示毎に記録したパラメータおよび再生経過時刻を、コンテンツを識別する識別情報と対応付けてファイルとして記録する第２の記録ステップと、第２の記録ステップの処理により記録されたファイルを再生ステップの処理により再生されたコンテンツのデータとともにネットワークを介して送信する送信ステップと、別の情報処理装置からネットワークを介して送信されてきたファイルとコンテンツのデータを受信し、記憶する受信ステップとを含み、再生ステップの処理において、所定のコンテンツを再生する場合、所定のコンテンツが、受信ステップの処理により受信されたファイルに含まれる識別情報により特定されるコンテンツであるとき、制御ステップの処理において、受信ステップの処理により受信されたファイルに含まれるパラメータに基づいて、所定のコンテンツの再生条件を制御し、所定のコンテンツが、ファイルに含まれる識別情報により特定されるコンテンツとは異なるとき、制御ステップの処理において、コンテンツの再生条件の制御を禁止する処理をコンピュータに実行させる。
【００１２】
本発明の情報処理装置および方法、記録媒体、並びにプログラムにおいては、コンテンツを識別する識別情報、およびパラメータが対応付けて、ファイルとして記録される。
【００１３】
【発明の実施の形態】
図２は、本発明が適用されるコンテンツ再生システムの構成を表している。この構成においては、端末１１−１，１１−２が、LAN，WAN、インターネット等のネットワーク１２を介して、相互に接続されている。
【００１４】
図３は、端末１１−１の構成を表している（図示は省略するが、端末１１−２も同様に構成されている）。図３において、CPU（Central  Processing  Unit）２１は、ROM（Read  Only  Memory）２２に記憶されているプログラム、または記憶部２８からRAM（Random  Access  Memory）２３にロードされたプログラムに従って各種の処理を実行する。RAM２３にはまた、CPU２１が各種の処理を実行する上において必要なデータなども適宜記憶される。
【００１５】
CPU２１、ROM２２、およびRAM２３は、バス２４を介して相互に接続されている。このバス２４にはまた、入出力インタフェース２５も接続されている。
【００１６】
入出力インタフェース２５には、キーボード、マウスなどよりなる入力部２６、CRT、LCDなどよりなるディスプレイ２７Ｄ、並びにスピーカ２７Ｓなどよりなる出力部２７、ハードディスクなどより構成される記憶部２８、モデム、ターミナルアダプタなどより構成される通信部２９が接続されている。通信部２９は、ネットワーク１２を介しての通信処理を行う。
【００１７】
入出力インタフェース２５にはまた、必要に応じてドライブ３０が接続され、磁気ディスク４１、光ディスク４２、光磁気ディスク４３、或いは半導体メモリ４４などが適宜装着され、それらから読み出されたコンピュータプログラムが、必要に応じて記憶部２８にインストールされる。
【００１８】
次に、図４を参照して、端末１１−１において、楽曲を再生する場合の処理について説明する。
【００１９】
最初に、ステップＳ１において、CPU２１は、入力部２６からユーザの指令が入力されると、その指令に基づいて、再生すべき楽曲の識別情報を取得する。CPU２１はまた、出力部２７を構成するディスプレイ２７Ｄに、その楽曲の再生条件のパラメータを設定するGUIを表示させる。ユーザは、ディスプレイ２７Ｄに表示されているGUIに基づいて、パラメータを適宜変更することで、再生条件を設定、変更することができる。CPU２１は、入力部２６が操作され、楽曲の再生が指令されたとき、ステップＳ２において、記憶部２８に記憶されている楽曲のデータの中から、指定された識別情報に対応するものを読み出し、出力部２７を構成するスピーカ２７Ｓから出力させる。
【００２０】
CPU２１は、ステップＳ３において、再生条件を設定する制御パラメータが変更されたか否かを判定し、変更されるまで待機する。ステップＳ３において、制御パラメータが変更されたと判定された場合、ステップＳ４に進み、CPU２１は、楽曲の再生を開始してからの再生経過時刻とともに、制御パラメータの種類とそのデータ（設定値）を記憶部２８に供給し、記憶させる。ステップＳ５において、CPU２１は、楽曲の再生の終了が指令されたか否かを判定し、楽曲の再生の終了がまだ指令されていない場合には、ステップＳ３に戻り、それ以降の処理を繰り返し実行する。
【００２１】
以上の処理が繰り返し実行されることで、ユーザが、制御パラメータを変更する毎に、その種類（例えば、リバーブ、イコライザ、コンプレッサ等）とデータが、その操作時刻とともに記録される。
【００２２】
ステップＳ５において、楽曲の再生の終了が指令されたと判定された場合、ステップＳ６に進み、CPU２１は、ステップＳ４の処理で記録した制御パラメータの種類とデータを、楽曲の識別情報に対応付けて１つのファイルとして、記憶部２８に保存する。
【００２３】
ユーザは、以上のようにして、１つの楽曲の再生を終了したとき、同一の条件で、その楽曲を、他の端末、例えば、端末１１−２において、再生させたいと思うとき、その楽曲のデータの送信を入力部２６を操作することで指令する。
【００２４】
そこで、ステップＳ７において、CPU２１は、楽曲の送信が指令されたか否かを判定し、指令されたと判定された場合、ステップＳ８に進み、記憶部２８に記憶されている楽曲のデータを、ステップＳ６の処理で保存されたファイルとともに、通信部２９からネットワーク１２を介して、端末１１−２に送信させる。
【００２５】
ステップＳ７において、送信が指令されていないと判定された場合、ステップＳ８の処理はスキップされる。
【００２６】
図５は、以上のようにして、ステップＳ６の処理でファイルに保存される制御情報の例を表している。この例においては、楽曲の識別IDが「００００１２３」とされている。そして、時刻０時００分２３．２６秒において、チャンネル１のカットオフ周波数ｆ０が５００Ｈｚであるポイントで、ゲインが＋１２．０ｄＢとされ、Ｑが０．９に設定されている。また、時刻０時１分６．０２秒において、チャンネル２のゲインが−６．３ｄＢに設定されている。さらに、０時３分４５．５６秒において、チャンネル１とチャンネル２の両方で、カットオフ周波数ｆ０が２０００Ｈｚのポイントで、ゲインが−３．０ｄｂとされ、Ｑが１．１に設定されている。
【００２７】
次に、図６のフローチャートを参照して、端末１１−２が端末１１−１からネットワーク２を介して送信されてきた楽曲データを受信し、再生する処理について説明する。
【００２８】
なお、以下の処理においては、端末１１−１のブロック図は、端末１１−２のブロック図として引用する。
【００２９】
ステップＳ２１において、端末１１−２のCPU２１は、ネットワーク２を介して、端末１１−１から送信されてきた楽曲のデータとパラメータのファイルを、通信部２９を介して受信すると、これを記憶部２８に供給し、記憶させる。
【００３０】
CPU２１は、入力部２６を介して、ユーザより楽曲の再生が指令されたとき、ディスプレイ２７Ｄに、再生のためのGUIを表示させる。ユーザは、このGUIを用いて再生する楽曲を指定する。CPU２１は、楽曲が指定されると、ステップＳ２２において、指定された楽曲のデータを記憶部２８から読み出し、出力部２７を構成するスピーカ２７Ｓから再生出力させる。
【００３１】
ステップＳ２３において、CPU２１は、再生時刻のカウントを開始し、その楽曲の識別情報を、記憶部２８に記憶されているファイルから取得する。
【００３２】
ステップＳ２４において、CPU２１は、その楽曲情報に対応する制御パラメータのファイルが、記憶部２８に記憶されているか否かを判定し、記憶されていない場合には、ステップＳ２５に進み、その楽曲の再生が終了するまで待機し、再生が終了したとき、処理を終了させる。
【００３３】
ステップＳ２４において、識別情報に対応する楽曲の制御パラメータのファイルが存在すると判定された場合、ステップＳ２６に進み、CPU２１は、ステップＳ２３の処理でカウントを開始した現在時刻が、制御パラメータに記述された時刻か否かを判定する。現在時刻が記述された時刻でない場合には、記述された時刻が到来するまで待機する。
【００３４】
制御パラメータに記述されている現在時刻が到来したとき、ステップＳ２７に進み、CPU２１は、制御パラメータファイルに記述されている制御パラメータの種類とそのデータ（値）を元に、いま再生している楽曲の音質と音量を制御する。
【００３５】
次に、ステップＳ２８に進み、CPU２１は、楽曲の再生が終了したか否かを判定し、まだ終了していなければ、ステップＳ２６に戻り、それ以降の処理を繰り返し実行する。
【００３６】
ステップＳ２８において、楽曲の再生が終了したと判定された場合、処理は終了される。
【００３７】
図７は、以上の処理を模式的に表している。図７においては、アプリケーションプログラム６１が、再生プレーヤ部６２と音質・音量制御処理部６３とを有している。このアプリケーションプログラム６１は、CPU２１により実行されるものである。また、表示部６４（ディスプレイ２７Ｄ）には、GUI６５が表示されており、カットオフ周波数ｆ０、ゲイン、およびＱを、パラメトリックイコライザに設定入力することができるようになされている。
【００３８】
端末１１−１が楽曲を再生するとき、ユーザは、GUI６５から所定の制御パラメータを設定する。これにより、音質・音量制御処理部６３は、GUI６５により設定された制御パラメータに基づいて、再生プレーヤ部６２により再生される楽曲の音質と音量を制御し、出力する。
【００３９】
この楽曲のデータと制御パラメータは、上述したように、端末１１−１の記憶部２８に記憶され、さらに、ネットワーク１２を介して端末１１−２に転送される。
【００４０】
端末１１−２においては、再生プレーヤ部６２が、記憶部２８から再生された楽曲データを再生し、音質・音量制御処理部６３に供給する。音質・音量制御処理部６３は、いま再生プレーヤ部６２により再生されている楽曲の識別情報に基づいて、ネットワーク１２を介して、端末１１−１から転送されてきた制御パラメータファイルから対応する制御パラメータを読み出し、その制御パラメータに基づいて、音質と音量を制御する。
【００４１】
これにより、例えば、リバーブ、イコライザ、コンプレッサ等の効果が、端末１１−１における場合と端末１１−２における場合とで、同一の状態で再生が実行できる。
【００４２】
なお、音質と音量を制御する制御パラメータファイルのデータ形式は、例えば、MIDI（Musical Instrument Digital Interface）の規格に基づくものとすることができる。
【００４３】
以上においては、コンテンツとして楽曲を例として、本発明を説明したが、例えば、ビデオ等のコンテンツを再生する場合にも、本発明を適用することが可能である。
【００４４】
上述した一連の処理は、ハードウエアにより実行させることもできるが、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【００４５】
この記録媒体は、図３に示すように、装置本体とは別に、ユーザにプログラムを提供するために配布される、プログラムが記録されている磁気ディスク４１（フロッピディスクを含む）、光ディスク４２（CD-ROM(Compact Disk-Read Only Memory),DVD(Digital Versatile Disk)を含む）、光磁気ディスク４３（ＭＤ（Mini-Disk）を含む）、もしくは半導体メモリ４４などよりなるパッケージメディアにより構成されるだけでなく、装置本体に予め組み込まれた状態でユーザに提供される、プログラムが記録されているROM２２や、記憶部２８に含まれるハードディスクなどで構成される。
【００４６】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【００４７】
また、本明細書において、システムとは、複数の装置により構成される装置全体を表すものである。
【００４８】
【発明の効果】
以上の如く、本発明の情報処理装置および方法、記録媒体、並びにプログラムによれば、コンテンツを識別する識別情報、およびパラメータを対応付けてファイルとして記録するようにしたので、簡単かつ迅速に、同一の条件で、他の装置でコンテンツを再生することが可能となる。
【図面の簡単な説明】
【図１】従来の再生装置の構成を示す図である。
【図２】本発明を適用したコンテンツ再生システムの構成例を示す図である。
【図３】図２の端末１１−１の構成を示すブロック図である。
【図４】図１の端末における楽曲再生の処理を説明するフローチャートである。
【図５】制御パラメータの例を示す図である。
【図６】図２の端末の楽曲の受信再生処理を説明するフローチャートである。
【図７】本発明における楽曲の受信再生を説明する図である。
【符号の説明】
１１−１，１１−２  端末，  １２  ネットワーク，  ６１  アプリケーションプログラム，  ６２  再生プレーヤ部，  ６３  音質・音量制御処理部，  ６４  表示部，  ６５  GUI
【図１】
0004461636.tif 000002
【図２】
0004461636.tif 000003
【図３】
0004461636.tif 000004
【図４】
0004461636.tif 000005
【図５】
0004461636.tif 000006
【図６】
0004461636.tif 000007
【図７】
0004461636.tif 000008